(57)【要約】【目的】側面部（嵌合当たり部）において十分な弾性を確保できる樹脂製カード型ダミー部材を提供する。【構成】ダミーＰＣカード１は、側面フレーム部１ａ・１ａ及び前面フレーム部１ｂを有する枠形状を成し、左右の側面フレーム部１ａ・１ａ間の中間位置には中央フレーム部１ｃを有する。中央フレーム部１ｃは、前面フレーム部１ｂ及び連結部１ｄ…に接続されており、中央フレーム部１ｃの端面部が樹脂注入のゲートとされる。連結部１ｄ…は、中央フレーム部１ｃを介して左右の側面フレーム部１ａ・１ａを連結しており、側面フレーム部１ａ・１ａに対して直交せずに傾斜して存在する。連結部１ｄ…の傾斜方向は、中央フレーム部１ｃを成す箇所の樹脂流れ方向とは逆側となる方向とされている。【選択図】　　　　　　　　図１
2004030140.tif 000002
【特許請求の範囲】
【請求項１】
側面フレーム部及び前面フレーム部を有する枠状の樹脂製カード型ダミー部材であって、左右の側面フレーム部を連結する連結部が当該側面フレーム部に対して直交せずに傾斜して存在することを特徴とする樹脂製カード型ダミー部材。
【請求項２】
請求項１に記載の樹脂製カード型ダミー部材において、左右の側面フレーム部間の中間位置に中央フレーム部が存在しており、この中央フレーム部は前面フレーム部及び連結部に接続されていることを特徴とする樹脂製カード型ダミー部材。
【請求項３】
請求項２に記載の樹脂製カード型ダミー部材において、中央フレーム部の端面部が樹脂注入のゲートとされて成型されたことを特徴とする樹脂製カード型ダミー部材。
【請求項４】
請求項３に記載の樹脂製カード型ダミー部材において、中央フレーム部から側面フレーム部に至る連結部の傾斜方向は、中央フレーム部を成す箇所の樹脂流れ方向とは逆側となる方向とされたことを特徴とする樹脂製カード型ダミー部材。
【発明の詳細な説明】
【０００１】
【産業上の利用分野】
この発明は、例えば、ダミーＰＣカード等として利用される樹脂製カード型ダミー部材に関する。
【０００２】
【従来の技術】
ダミーＰＣカードは、例えばノート型パーソナルコンピュータのカードスロットに装填される実際のＰＣカードの代わりに、当該コンピュータの例えば出荷時などにおいてカードスロットに仮装填されて用いられるものであり、仮装填された状態で側面外方向に幾分突出させた嵌合当たり部がカードスロットのレール部に圧接することでカードスロットに保持されるようになっている。図５及び図６は、それぞれ従来のダミーＰＣカードを示した平面図である。
【０００３】
図５のダミーＰＣカード１１は板形状を成すものであり、嵌合当たり部１１ａが形成される箇所１１ｂにおいて弾性変形可能となるように、長穴１１ｃを形成している。そして、図５の上部側が前面部（可視部）１１ｄとなり、この前面部１１ｄの近傍に樹脂注入口とされたゲート部１１ｅが存在している。かかるダミーＰＣカード１１においては、前記長穴１１ｃの図の下側（ゲート部１１ｅから遠い側）において溶融樹脂の合流が生じ、いわゆるウエルドライン１１ｆが発生する。このウエルドライン１１ｆは成型品の見栄えを悪くするので、前面部１１ｄから遠い位置に形成されるのがよい。
【０００４】
図６のダミーＰＣカード１２は側面フレーム部１２ａ・１２ａ及び前面フレーム部（可視部）１２ｂを有する枠形状を成すものであり、外周部形状は前記のダミーＰＣカード１１と同様であるが、枠形状としつつ強度を確保するために、左右の側面フレーム部１２ａ・１２ａを連結する連結部１２ｃ・１２ｃが当該側面フレーム部１２ａに直交して存在している。かかる形状においては、連結部１２ｃ・１２ｃ間に対応する側面フレーム部１２ａ及び連結部１２ｃと前面フレーム部１２ｂとの間に対応する側面フレーム部１２ａにおいて弾性が得られる。そして、嵌合当たり部１２ｄ・１２ｄが形成される箇所で上記弾性が得られるように、連結部１２ｃ・１２ｃの位置が決定される。また、前面フレーム部１２ｂに樹脂注入口とされたゲート部１２ｆが存在している。かかるダミーＰＣカード１２においては、前記連結部１２ｃの中央部において溶融樹脂の合流が生じ、いわゆるウエルドライン１２ｇが発生する。このウエルドライン１２ｇは成型品の見栄えを悪くするので、前面フレーム部１２ｂから遠い位置に形成されるのがよい。
【０００５】
【発明が解決しようとする課題】
ところで、カードスロットの寸法精度は各社でばらつきがあり、どのカードスロットにも対応できるダミーＰＣカードとなるためには、幾分大きめの外形状を有しつつ、嵌合当たり部において十分な弾性が確保されているものでなければならない。しかしながら、上記従来のダミーＰＣカード１１・１２はいずれも嵌合当たり部１１ａ・１２ｄにおいて十分な弾性を得ることはできない。
【０００６】
この発明は、上記の事情に鑑み、側面部（嵌合当たり部）において十分な弾性を確保できる樹脂製カード型ダミー部材を提供することを目的とする。
【０００７】
【課題を解決するための手段】
この発明の樹脂製カード型ダミー部材は、上記の課題を解決するために、側面フレーム部及び前面フレーム部を有する枠状の樹脂製カード型ダミー部材であって、左右の側面フレーム部を連結する連結部が当該側面フレーム部に対して直交せずに傾斜して存在することを特徴とする。
【０００８】
上記の構成であれば、側面フレーム部に側面外方向からの力が加わるとき、前記連結部は当該力を真っ直ぐに受けることができずに斜めからの力として受けることになり、この斜めからの力に対して連結部は撓みを生じ、この撓みは側面フレーム部の移動自由度（すなわち、弾性変形）を高めることになり、側面フレーム部に設ける嵌合当たり部において十分な弾性を確保することができる。
【０００９】
左右の側面フレーム部間の中間位置に中央フレーム部が存在しており、この中央フレーム部は前面フレーム部及び連結部に接続されているのがよい。前記中央フレーム部が無い場合には、側面フレーム部に側面外方向からの力が加わるときに連結部の中央において厚み方向の撓みが生じてしまうおそれがあるが、前記中央フレーム部が有る構造ではこのような厚み方向の撓みは生じにくく、連結部は面内方向での撓みのみが許容されることになり、カードスロット内での引っ掛かりといった不具合を防止することができる。
【００１０】
中央フレーム部の端面部が樹脂注入のゲートとされて成型されるのがよい。中央フレーム部の端面部は樹脂製カード型ダミー部材における内部側に位置することになり、内部位置にゲートを存在させることで、樹脂製カード型ダミー部材の成型金型の小型化がしやすくなる。
【００１１】
中央フレーム部から側面フレーム部に至る連結部の傾斜方向は、中央フレーム部を成す箇所の樹脂流れ方向とは逆側となる方向とされるのがよい。これによれば、中央フレーム部となる箇所を通じて樹脂（溶融樹脂）は直ちに前面フレーム部となる箇所に充填されると共に、連結部となる箇所では前記逆方向とされた分だけ充填が遅れることになり、前面フレーム部となる箇所での樹脂合流（ウエルドライン発生）が回避され、見栄えを良くすることができる。
【００１２】
【発明の実施の形態】
以下、この発明の実施形態における樹脂製カード型ダミー部材をダミーＰＣカードに適用した例を図１乃至図４に基づいて説明する。
【００１３】
図１及び図２に示すダミーＰＣカード１は、側面フレーム部１ａ・１ａ及び前面フレーム部１ｂを有する枠形状を成し、左右の側面フレーム部１ａ・１ａ間の中間位置には中央フレーム部１ｃを有する。中央フレーム部１ｃは、前面フレーム部１ｂ及び連結部１ｄ…に接続されており、中央フレーム部１ｃの端面部が樹脂注入のゲートとされる。連結部１ｄ…は、中央フレーム部１ｃを介して左右の側面フレーム部１ａ・１ａを連結しており、側面フレーム部１ａ・１ａに対して直交せずに傾斜して存在する。連結部１ｄ…の傾斜方向は、中央フレーム部１ｃを成す箇所の樹脂流れ方向とは逆側となる方向とされている。側面フレーム部１ａ・１ａの外周側面には、低めの凸形状を成す嵌合当たり部１ｅが二カ所ずつ形成されている。このダミーＰＣカード１が図示しないカードスロットに装填されると、嵌合当たり部１ｅ…がカードスロットのレール部に圧接され、ダミーＰＣカード１がカードスロットに保持される。
【００１４】
図３に示すダミーＰＣカード２は、側面フレーム部２ａ・２ａ及び前面フレーム部２ｂを有する枠形状を成し、左右の側面フレーム部２ａ・２ａ間の中間位置には中央フレーム部２ｃを有する。中央フレーム部２ｃは、前面フレーム部２ｂ及び連結部２ｄ…に接続されており、中央フレーム部２ｃの端面部が樹脂注入のゲートとされる。連結部２ｄ…は、中央フレーム部２ｃを介して左右の側面フレーム部２ａ・２ａを連結しており、側面フレーム部２ａ・２ａに対して直交せずに傾斜して存在する。連結部２ｄ…の傾斜方向は、中央フレーム部２ｃを成す箇所の樹脂流れ方向と同方向とされている。側面フレーム部２ａ・２ａの外周側面には、低めの凸形状を成す嵌合当たり部２ｅが２カ所ずつ形成されている。
【００１５】
図４に示すダミーＰＣカード３は、側面フレーム部３ａ・３ａ及び前面フレーム部３ｂを有する枠形状を成す。左右の側面フレーム部３ａ・３ａを連結する連結部３ｄ・３ｄは略Ｖ字形状を有し、側面フレーム部３ａに対して直交せずに傾斜して存在する。かかる構造においては、樹脂注入のゲートは前面フレーム部３ｂに形成すればよい。また、側面フレーム部３ａ・３ａの外周側面には、低めの凸形状を成す嵌合当たり部３ｅが２カ所ずつ形成されている。このダミーＰＣカード３においては、従来項の図６に示したダミーＰＣカードと同様、前面フレーム部３ｂに樹脂注入口とされるゲート部３ｆを存在させればよい。
【００１６】
上述したダミーＰＣカード１，２，３に共通していえるのは、側面フレーム部（１ａ，２ａ，３ａ）に側面外方向からの力が加わるとき、前記連結部（１ｄ，２ｄ，３ｄ）は当該力を真っ直ぐに受けることができずに斜めからの力として受けることになり、この斜めからの力に対して連結部（１ｄ，２ｄ，３ｄ）は撓みを生じ、この撓みは側面フレーム部（１ａ，２ａ，３ａ）の移動自由度（すなわち、弾性変形）を高めることになり、側面フレーム部（１ａ，２ａ，３ａ）に存在する嵌合当たり部（１ｅ，２ｅ，３ｅ）において十分な弾性を確保することができる。
【００１７】
中央フレーム部を有しないダミーＰＣカード３においては、側面フレーム部３ａに側面外方向からの力が加わるときに連結部３ｄの中央において厚み方向の撓みが生じてしまうおそれがあるが、中央フレーム部（１ｃ，２ｃ）を有するダミーＰＣカード１，２においては、このような厚み方向の撓みは生じにくく、連結部１ｄ，２ｄは面内方向での撓みのみが許容されることになり、カードスロット内での引っ掛かりといった不具合を防止することができる。
【００１８】
また、中央フレーム部（１ｃ，２ｃ）を有するダミーＰＣカード１，２では、中央フレーム部（１ｃ，２ｃ）の端面部を樹脂注入のゲートとしている。中央フレーム部（１ｃ，２ｃ）の端面部はダミーＰＣカード１，２における内部側に位置することになり、内部位置にゲートを存在させることで、ダミーＰＣカード１，２の成型金型の小型化がしやすくなる。
【００１９】
ダミーＰＣカード２においては、連結部２ｄ…の傾斜方向は、中央フレーム部２ｃを成す箇所の樹脂流れ方向と同方向とされているのに対し、ダミーＰＣカード１においては、連結部１ｄ…の傾斜方向は、中央フレーム部１ｃを成す箇所の樹脂流れ方向と逆になる方向とされている。このため、ダミーＰＣカード１であれば、樹脂（溶融樹脂）は直ちに前面フレーム部１ｂとなる箇所に充填されると共に、連結部１ｄ…となる箇所では前記逆方向とされた分だけ充填が遅れることになり、前面フレーム部１ｂとなる箇所から幾分離れた箇所においてウエルドライン１ｆが発生し、見栄えを良くすることができる。
【００２０】
【発明の効果】
以上説明したように、この発明のカード型ダミー部材であれば、例えばダミーＰＣカードとして利用する場合において、幾分大きめの外周形状としつつ、嵌合当たり部において十分な弾性を確保し、カードスロットにしっかりと装着させることができるという効果を奏する。中央フレーム部を有する構成では、連結部の中央における厚み方向の撓みを防止できる。中央フレーム部の端面部が樹脂注入のゲートとされる構造であれば、カード型ダミー部材の成型金型の小型化がしやすくなる。また、連結部の傾斜方向が中央フレーム部を成す箇所の樹脂流れ方向とは逆側となる構成であれば、前面フレーム部となる箇所での樹脂合流（ウエルドライン発生）が回避され、見栄えを良くすることができる。
【図面の簡単な説明】
【図１】この発明の第１の実施形態のダミーＰＣカードを示した斜視図である。
【図２】この発明の第１の実施形態のダミーＰＣカードを示した平面図である。
【図３】この発明の第２の実施形態のダミーＰＣカードを示した平面図である。
【図４】この発明の第３の実施形態のダミーＰＣカードを示した平面図である。
【図５】従来のダミーＰＣカードを示した平面図である。
【図６】従来のダミーＰＣカードを示した平面図である。
【符号の説明】
１，２，３　　　　　ダミーＰＣカード
１ａ，２ａ，３ａ　　側面フレーム部
１ｂ，２ｂ，３ｂ　　前面フレーム部
１ｃ，２ｃ　　　　　中央フレーム部
１ｄ，２ｄ，３ｄ　　連結部
１ｅ，２ｅ，３ｅ　　嵌合当たり部
１ｆ　　　　　　　　ウエルドライン
【図１】
2004030140.tif 000003
【図２】
2004030140.tif 000004
【図３】
2004030140.tif 000005
【図４】
2004030140.tif 000006
【図５】
2004030140.tif 000007
【図６】
2004030140.tif 000008